(57)【要約】      （修正有）【課題】冷凍冷蔵庫内における上方の空間と下方の空間との間での温度のばらつきが生じることを抑制するとともに、霜取り運転に冷凍冷蔵庫の運転停止後に容易且つ速やかに移行することができる冷凍冷蔵庫用吹出し口構造を提供する。【解決手段】複数枚の羽根１２が枠体１１に回転支持機構１３により回転自在に支持される。羽根１２において、回転支持機構１３の回転軸１９よりも下側の下側部分１６の質量が上側の上側部分１５の質量よりも大きくなるように形成されるとともに、ファンから吹き出される冷却風の圧力が作用する受圧面積が下側部分１６よりも上側部分１５の方が大きくなるように形成される。【選択図】図５
0003139266.tif 000002
【実用新案登録請求の範囲】
【請求項１】
冷却器とファンとを有する冷凍冷蔵庫において前記冷却器にて冷却された冷却風が吹き出される前記ファンの前面に設けられる冷凍冷蔵庫用吹出し口構造であって、
少なくとも前記ファンの前面を囲むように配置される枠体と、
前記枠体に対して取り付けられ、長手方向が前記ファンの前面を横断するとともに前記枠体の幅方向に沿って延びるように形成される複数枚の羽根と、
前記複数枚の羽根のそれぞれをその長手方向における両端部分にて前記枠体に対して回転自在に支持する回転支持機構と、
前記羽根において、前記回転支持機構の回転軸よりも下側に位置する下側部分の質量が上側に位置する上側部分の質量よりも大きくなるように形成されるとともに、前記ファンから吹き出される冷却風の圧力が作用する受圧面積が前記下側部分よりも前記上側部分の方が大きくなるように形成されていることを特徴とする冷凍冷蔵庫用吹出し口構造。
【請求項２】
請求項１に記載の冷凍冷蔵庫用吹出し口構造であって、
前記羽根は、少なくとも前記上側部分が平板状に形成されていることを特徴とする冷凍冷蔵庫用吹出し口構造。
【請求項３】
請求項２に記載の冷凍冷蔵庫用吹出し口構造であって、
前記羽根は、前記上側部分及び前記下側部分の少なくとも一部が一体に設けられている平板状に形成されているとともに、前記下側部分は錘部材が設けられていることで前記上側部分よりも質量が大きくなるように形成されていることを特徴とする冷凍冷蔵庫用吹出し口構造。
【請求項４】
請求項１乃至請求項３のいずれか１項に記載の冷凍冷蔵庫用吹出し口構造であって、
前記枠体には、前記ファンから吹き出される冷却風により前記羽根が回転したときに前記上側部分と当接して前記羽根の回転可能範囲を規制する規制部材が取り付けられていることを特徴とする冷凍冷蔵庫用吹出し口構造。
【考案の詳細な説明】
【技術分野】
【０００１】
本考案は、冷却器とファンとを有する冷凍冷蔵庫において冷却器にて冷却された冷却風が吹き出されるファンの前面に設けられる冷凍冷蔵庫用吹出し口構造に関する。
【背景技術】
【０００２】
従来より、食品等の冷凍冷蔵のために用いられる業務用の冷凍冷蔵庫として、断熱性の箱体で囲われた庫内に冷却器とファンと食品棚とが設置されて、ファンから吹き出され冷却器を通して庫内を循環する冷却風により食品棚上に置かれた食品を冷凍する食品冷凍庫が知られている（特許文献１参照）。このような冷凍冷蔵庫においては、冷却風が吹き出されるファンの前面に吹出し口構造が設けられる。特許文献１に記載の冷凍冷蔵庫においては、このような吹出し口構造として、ファンの前面にこのファンから吹き出された冷却風を食品棚に均等に分配する分配ダクトが設けられている。この分配ダクトは、ファンの前方を囲う方形の枠体と、この枠体内に食品棚に合わせて多段に設けた水平な仕切り板と、を備えて構成されている。また、仕切り板により区画された通風路には、この通風路を通る冷却風の向きを一定方向に揃える垂直な風向案内板が設けられている。
【０００３】
【特許文献１】特開２０００−３５６４６２号公報（第３−５頁、第１−２図）
【考案の開示】
【考案が解決しようとする課題】
【０００４】
特許文献１に記載の冷凍冷蔵庫によると、冷却器で冷却されてファンから吹き出される冷却風は、ファンの前面に設けられる冷凍冷蔵庫用吹出し口構造である分配ダクトを通過する。そして、この冷却風は、枠体内で多段に水平に設けられた仕切り板で区画される通風路によって水平に吹き出されるように誘導され、その水平方向への吹出し方向は風向案内板で一定方向に揃えられることになる。しかしながら、特許文献１に記載の冷凍冷蔵庫用吹出し口構造では、水平方向にしか冷却風を吹き出すことができない。そして、吹出し口構造から吹き出された冷却風は、冷凍冷蔵庫内の空気の平均密度よりも密度が大きいために重力の影響によって、吹き出された後すぐに下方に移動していくことになる。このため、冷凍冷蔵庫内においては、下方の空間に冷気が滞在し易くなってしまい、上方の空間との間で温度のばらつきが生じ易くなり、冷凍冷蔵庫内の均一な冷却が難しいという問題がある。
【０００５】
また、冷凍冷蔵庫においては、運転中には冷却器やファンに霜が生成して付着するため、吹出し口構造又は吹出し口構造の前面を閉じた状態にして吹出し口構造の内側（ファン側）でヒータを運転し、ヒータからの暖気を吹出し口構造の内側に閉じ込めるようにすることによって冷却器やファンに付着した霜を融解させる霜取り運転が行われる。しかしながら、特許文献１に記載の冷凍冷蔵庫用吹出し口構造では、仕切り板及び風向案内板が固定されているため、冷凍冷蔵庫の運転が停止したときにおいても、ファンの前面が開放された状態のままとなる。このため、冷凍冷蔵庫の運転停止後に吹出し口構造の内側に配置したヒータを運転してファンに付着した霜を融解させて除去するための霜取り運転を行うためには、吹出し口構造の前面にこれを閉じた状態にするための構造体を配置するなど、別途の手段を講じることが必要となる。尚、冷凍冷蔵庫の運転停止後に仕切り板や風向案内板の固定状態を解除して吹出し口構造を閉じた状態にする場合であっても、霜取り運転を行うための準備に多くの手間と時間が費やされてしまうことになる。
【０００６】
本考案は、上記実情に鑑みることにより、冷凍冷蔵庫内における上方の空間と下方の空間との間での温度のばらつきが生じることを抑制するとともに、冷凍冷蔵庫の運転中にファンや冷却器に付着した霜を融解させて除去するための霜取り運転に冷凍冷蔵庫の運転停止後に容易且つ速やかに移行することができる冷凍冷蔵庫用吹出し口構造を提供することを目的とする。
【課題を解決するための手段及び効果】
【０００７】
上記目的を達成するための第１考案に係る冷凍冷蔵庫用吹出し口構造は、冷却器とファンとを有する冷凍冷蔵庫において前記冷却器にて冷却された冷却風が吹き出される前記ファンの前面に設けられる冷凍冷蔵庫用吹出し口構造であって、少なくとも前記ファンの前面を囲むように配置される枠体と、前記枠体に対して取り付けられ、長手方向が前記ファンの前面を横断するとともに前記枠体の幅方向に沿って延びるように形成される複数枚の羽根と、前記複数枚の羽根のそれぞれをその長手方向における両端部分にて前記枠体に対して回転自在に支持する回転支持機構と、前記羽根において、前記回転支持機構の回転軸よりも下側に位置する下側部分の質量が上側に位置する上側部分の質量よりも大きくなるように形成されるとともに、前記ファンから吹き出される冷却風の圧力が作用する受圧面積が前記下側部分よりも前記上側部分の方が大きくなるように形成されていることを特徴とする。
【０００８】
この構成によると、回転支持機構により枠体に対して回転自在に支持されたそれぞれの羽根は、ファンから吹出される冷却風の圧力が作用する受圧面積が下側部分よりも上側部分の方が大きくなるように形成されている。このため、ファンから冷却風が吹出されると、各羽根は、受圧面積の大きい上側部分が冷却風の風圧によって吹出し口構造の外側に向かって上向きに開口するように傾くことになる。そして、このように冷却風で羽根が上向きに傾いて形成された吹出し口構造における開口から、冷却風が斜め上方に向かって吹出されることになる。これにより、吹出し口構造から吹き出された冷却風の密度が冷凍冷蔵庫内の空気の平均密度よりも大きくても、吹出された後しばらくの間は冷凍冷蔵庫内における上方の空間を流動することになる。このため、冷凍冷蔵庫内において下方の空間に冷気が滞在し易くなることを防ぎやすく、上方の空間と下方の空間との間で温度のばらつきが拡大してしまうことを効率よく抑制することができる。
【０００９】
また、枠体に回転自在に支持された各羽根は、下側部分の質量が上側部分の質量よりも大きくなるように形成されている。このため、冷凍冷蔵庫の運転停止後は、冷却風の風圧が作用しなくなるため、それまで斜めに傾いていた各羽根は、質量の大きい下側部分が回転方向において下方に向かって移動することになる。これにより、各羽根は、冷凍冷蔵庫の運転停止後すぐに、上側部分が鉛直方向上方に下側部分が鉛直方向下方に向いた姿勢で停止することになる。このため、冷凍冷蔵庫の運転停止後すぐに吹出し口構造が閉じた状態になるため、そのまますぐに吹出し口構造の内側に配置したヒータを運転して霜取り運転に移行することができる。
【００１０】
従って、本考案によると、冷凍冷蔵庫内における上方の空間と下方の空間との間での温度のばらつきが生じることを抑制するとともに、冷凍冷蔵庫の運転中にファンや冷却器に付着した霜を融解させて除去するための霜取り運転に冷凍冷蔵庫の運転停止後に容易且つ速やかに移行することができる冷凍冷蔵庫用吹出し口構造を提供することができる。
【００１１】
第２考案に係る冷凍庫用吹出し口構造は、第１考案の冷凍冷蔵庫用吹出し口構造において、前記羽根は、少なくとも前記上側部分が平板状に形成されていることを特徴とする。
【００１２】
この構成によると、各羽根の少なくとも上側部分が平板状に形成されているため、ファンから吹出される冷却風の風圧により効率よく羽根を回転させることができ、さらに、平坦な羽根構造で流動抵抗が少ないため、吹き出し口において無駄な圧力損失が生じてしまうことも抑制できる。また、上側部分が平板状に形成されるため、その薄さが適宜調整されることで、下側部分よりも質量の小さい上側部分を構造を容易に実現することができる。
【００１３】
第３考案に係る冷凍庫用吹出し口構造は、第２考案の冷凍冷蔵庫用吹出し口構造において、前記羽根は、前記上側部分及び前記下側部分の少なくとも一部が一体に設けられている平板状に形成されているとともに、前記下側部分は錘部材が設けられていることで前記上側部分よりも質量が大きくなるように形成されていることを特徴とする。
【００１４】
この構成によると、各羽根は、上側部分及び下側部分の少なくとも一部が一体の平板状に形成されているため、羽根の基本構造を簡易な構造で実現できるとともに１枚の平板を用いて容易に作製することができる。また、下側部分に錘部材を設けるだけで、上側部分よりも質量が大きい下側部分を容易に形成することができる。
【００１５】
第４考案に係る冷凍庫用吹出し口構造は、第１考案乃至第３考案のいずれかの冷凍冷蔵庫用吹出し口構造において、前記枠体には、前記ファンから吹き出される冷却風により前記羽根が回転したときに前記上側部分と当接して前記羽根の回転可能範囲を規制する規制部材が取り付けられていることを特徴とする。
【００１６】
この構成によると、枠体に取り付けられた規制部材により羽根の回転可能範囲が規制されるため、規制部材の配置を適宜設定することで、冷却風の風圧により羽根が傾く角度を所望の角度となるように容易に設定することができる。尚、規制部材は、枠体に対して常時一箇所に固定されるものでなくてもよく、取付位置を変更可能となるように枠体に対して着脱自在に取り付けられるものであってもよい。
【考案を実施するための最良の形態】
【００１７】
以下、本考案を実施するための形態について図面を参照しつつ説明する。尚、本考案の実施形態に係る冷凍冷蔵庫用吹出し口構造は、冷却器とファンとを有する冷凍冷蔵庫において冷却器にて冷却された冷却風が吹出されるファンの前面に設けられるものとして広く適用することができる。そして、本実施形態では、食品用の冷凍冷蔵庫に対して適用される場合を例にとって説明するが、その用途に限らず、より広範な用途に対して適用でき、多くの異なる環境及び各種の目的に対して適用することができる。尚、本実施形態の説明においては、ファンにおいて冷却風が吹出される側をファンの前面と称し、冷凍冷蔵庫用吹出し口構造に対してファンが配置されている側を冷凍冷蔵庫用吹出し口構造の内側と称する（ファンが配置されていない側は冷凍冷蔵庫用吹出し口構造の外側と称する）。
【００１８】
図１は、本考案の一実施の形態に係る冷凍冷蔵庫用吹出し口構造１が適用された冷凍冷蔵庫１００の平面図を断面で示したものである。冷凍冷蔵庫１００は、食品の冷凍冷蔵のために用いられる業務用の冷凍冷蔵庫として設けられている。この冷凍冷蔵庫１００は、断熱性を有する箱体、冷却器、ファンなどを備えて構成されており、図１の断面図では、断熱壁として構成された庫壁１００ａと、食品の搬入搬出を行う作業者が入退出を行うための扉１００ｂとにより、庫内が区画されている状態が図示されている。そして、この冷凍冷蔵庫１００の庫内には、本実施形態に係る冷凍冷蔵庫用吹出し口構造１（以下、単に「吹出し口構造１」という）、冷却器２、ファン３、吸込み口構造４、ヒータ５、側壁６、食品棚７等が配置されている。
【００１９】
冷却器２、ファン３、及びヒータ５は、吹出し口構造１と吸込み口構造４と側壁６とで区画される領域に配置されている。ファン３が回転することで、吸込み口構造４から図中矢印（ａ）方向に向かって庫内の空気が吸い込まれ、この空気が冷却器２を通過することで冷却されるようになっている。尚、冷却器２の冷媒は、冷凍冷蔵庫１００の庫外に配置される冷却器２の室外機（図示せず）との間で循環するようになっている。吹出し口構造１は、ファン３の前面に設けられており、冷却器２で冷却された冷却風がファン３の回転に伴って吹出し口構造１から吹出されるようになっている。
【００２０】
吸込み口構造４は、例えば、上側の部分のみを固定されて下側の部分が下方に垂らされた状態で水平方向において平行に配置された複数枚のゴムシート等が、方形の枠構造に取り付けられることで構成されている。また、ヒータ５は、例えば、吸込み口構造４と冷却器２との間、及び冷却器２とファン３との間にそれぞれ配置された棒状のヒータとして構成されている。また、食品棚７は、庫内に複数個配置され、それぞれ、食品が配置される複数段の棚部が設けられている。ファン３の回転に伴って冷却器２で冷却されて吹出し口構造１から吹出された冷却風は、庫内で循環し、食品棚７の棚部に載置された食品が冷凍冷蔵されることになる。尚、吸込み口構造４、ヒータ５、食品棚７の構造については、図１に例示のものに限らず、適宜変更して実施してもよい。
【００２１】
図２乃至図４は本実施形態の吹出し口構造１を示したものであり、図２が正面図、図３が背面図、図４が一部側面図を示したものである。図２乃至図４に示すように、吹出し口構造１は、枠体１１、複数枚の羽根１２、回転支持機構１３等を備えて構成されている。尚、前述したように、吹出し口構造１はファン３の前面に配置されており（図１参照）、図２の正面図は吹出し口構造１を外側から見た状態を示しており、図３の背面図は吹出し口構造１を内側（ファン３側から）見た状態を示している。
【００２２】
図２及び図３に示すように、枠体１１は、ファン３の前面を囲むように配置されており、例えば、アングル鋼（山形鋼）等の部材を用いてこれらで４辺をそれぞれ構成するように組み立てることで形成されている。また、複数枚の羽根１２は、枠体１１に対して取り付けられており、長手方向がファン３の前面を横断するとともに枠体１１の幅方向（図２中の両端矢印Ａ方向）に沿って延びるように形成されている。即ち、複数枚の羽根１２は、枠体１１の幅方向に沿って互いに平行に、且つ上下方向に並んで配置されている。
【００２３】
また、図４によく示すように、回転支持機構１３は、回転軸１９と回転支持ブロック２０とで構成されている。回転軸１９は、各羽根１２の長手方向の両側に設けられている。回転支持ブロック２０は、回転軸１９が遊嵌状態で嵌め込まれる孔部が形成されており、枠体１１に対して固定されている。回転軸１９は回転支持ブロック２０の孔部に遊嵌状態で嵌め込まれて回転可能なため、回転軸１９とともに羽根１２も回転支持ブロック２０及び枠体１１に対して回転可能になっている。このような回転支持機構１３により、複数枚の羽根１２のそれぞれは、その長手方向における両端部分にて枠体１１に対して回転自在に支持されるようになっている。尚、本実施形態では、回転支持機構１３として、羽根１２に取り付けられた回転軸１９と枠体１１に取り付けられた回転支持ブロック２０とで構成されたものを例示したが、この例に限らず適宜変更して実施してもよい。例えば、枠体１１に回転軸を固定し、この回転軸が遊嵌状態で嵌め込まれる孔部が形成されたブロックを羽根１２に取り付けるものであってもよい。
【００２４】
また、各羽根１２は、図４によく示すように、回転支持機構１３の回転軸１９よりも上側に位置する上側部分１５と下側に位置する下側部分１６とを備えて構成されている。上側部分１５は平板状に形成されており、下側部分は平板部１７とこの平板部１７に固定された錘部材１８とで構成されている。また、上側部分１５と、下側部分１６の一部である平板部１７とは、一体に設けられている平板状に形成されている。この羽根１２は、下側部分１６に錘部材１８が設けられることで、下側部分１６の質量が上側部分１５の質量よりも大きくなるように形成されている。そして、下側部分１６の平板部１７の表面積よりも上側部分１５の表面積が大きくなる位置において、回転軸１９が羽根１２に対して取り付けられている。この構成により、羽根１２は、ファン３から吹出される冷却風の圧力が作用する受圧面積が下側部分１６よりも上側部分１５のほうが大きくなるように形成されている。
【００２５】
また、規制部材１４は、枠体１１の幅方向両側において枠体１１の前面側（外側）に突出した状態で枠体１１に対して取り付けられており、例えば、図４によく示すように、一対の平行な形鋼等の棒状鋼材１４ａが連結用の他の部材１４ｂを介して枠体１１に取り付けられることで形成されている。この規制部材１４は、図２によく示すように、吹出し口構造１の前面側から見て各羽根１２の長手方向の両端部分において一部重なるように配置されている。これにより、規制部材１４は、ファン３から吹き出される冷却風により羽根１２が図４中において示す矢印Ｂ方向に回転したときに上側部分１５と当接して羽根１２の回転可能範囲を規制するようになっている。尚、図２乃至図４に示すように、枠体１１の幅方向両側には、回転止め部材２１が各羽根１２の下側部分１６の近傍において設けられている。この回転止め部材２１は、羽根１２が図４に示すように鉛直方向に配向した姿勢の状態から図４中における矢印Ｂ方向とは逆方向に回転することを防止するために設けられており、図４の垂直姿勢から矢印Ｂ方向とは逆方向に羽根１２が回転した際に下側部分１６と係止するように設けられている。
【００２６】
次に、上述した構成を備える吹出し口構造１の作動について説明する。図５は、ファン３から吹き出される冷却風の圧力が作用して羽根１２が所定の角度（例えば、水平方向に対して上側に２０度傾いた角度）まで回転した状態を示した吹出し口構造１の一部断面図である。尚、図中に示す矢印は、ファン３から吹き出される冷却風の流れ方向を示したものである。まず、冷凍冷蔵庫１００の運転が停止している状態のときは、ファン３の回転駆動が行われないため、冷却風は吹き出されず、各羽根１２は、図２乃至図４に示す状態となっている。即ち、下側部分１６の質量が上側部分１５の質量よりも大きいため、回転支持機構１３により回転自在に支持された各羽根１２は、重力の作用により鉛直方向に配向した姿勢で停止している。
【００２７】
上述の状態から、冷凍冷蔵庫１００の運転が開始されると、ファン３から冷却風が吹き出され、図５に示すように、受圧面積の大きい上側部分１５が外側（前面側）に向かって傾くとともに、受圧面積の小さい下側部分１６が内側に向かって傾くように、羽根１２が回転する。そして、羽根１２は、その上端側が規制部材１４と当接することで回転範囲が規制されて、規制部材１４の位置により定まる所定の角度で回転を停止する。一方、冷凍冷蔵庫１００の運転が停止すると、ファン３から冷却風が吹き出されなるため、冷却風の風圧が作用せず重力のみが羽根１２に作用して、図２乃至図４に示す状態に戻ることになる。従って、冷凍冷蔵庫１００の運転停止とともに、すぐに吹出し口構造１が閉じている状態に移行することになる。そして、その状態で図１に示すヒータ５を作動させて加熱動作を行うことで、速やかに霜取り運転に移行できることになる。
【００２８】
以上説明したように、本実施形態の吹出し口構造１によると、回転支持機構１３により枠体１１に対して回転自在に支持されたそれぞれの羽根１２は、ファン３から吹出される冷却風の圧力が作用する受圧面積が下側部分１６よりも上側部分１５の方が大きくなるように形成されている。このため、ファン３から冷却風が吹出されると、各羽根１２は、受圧面積の大きい上側部分１５が冷却風の風圧によって吹出し口構造１の外側に向かって上向きに開口するように傾くことになる。そして、このように冷却風で羽根１２が上向きに傾いて形成された吹出し口構造１における開口から、冷却風が斜め上方に向かって吹出されることになる。これにより、吹出し口構造１から吹き出された冷却風の密度が冷凍冷蔵庫１００内の空気の平均密度よりも大きくても、吹出された後しばらくの間は冷凍冷蔵庫１００内における上方の空間を流動することになる。このため、冷凍冷蔵庫１００内において下方の空間に冷気が滞在し易くなることを防ぎやすく、上方の空間と下方の空間との間で温度のばらつきが拡大してしまうことを効率よく抑制することができる。
【００２９】
また、枠体１１に回転自在に支持された各羽根１２は、下側部分１６の質量が上側部分１５の質量よりも大きくなるように形成されている。このため、冷凍冷蔵庫１００の運転停止後は、冷却風の風圧が作用しなくなるため、それまで斜めに傾いていた各羽根１２は、質量の大きい下側部分１６が回転方向において下方に向かって移動することになる。これにより、各羽根１２は、冷凍冷蔵庫１００の運転停止後すぐに、上側部分１５が鉛直方向上方に下側部分１６が鉛直方向下方に向いた姿勢で停止することになる。このため、冷凍冷蔵庫１００の運転停止後すぐに吹出し口構造１が閉じた状態になるため、そのまますぐに吹出し口構造１の内側に配置したヒータ５を運転して霜取り運転に移行することができる。
【００３０】
従って、本実施形態によると、冷凍冷蔵庫１００内における上方の空間と下方の空間との間での温度のばらつきが生じることを抑制するとともに、冷凍冷蔵庫１００の運転中にファン３や冷却器２に付着した霜を融解させて除去するための霜取り運転に冷凍冷蔵庫１００の運転停止後に容易且つ速やかに移行することができる冷凍冷蔵庫用吹出し口構造を提供することができる。
【００３１】
また、吹出し口構造１によると、各羽根１２の少なくとも上側部分１５が平板状に形成されているため、ファン３から吹出される冷却風の風圧により効率よく羽根１２を回転させることができ、さらに、平坦な羽根構造で流動抵抗が少ないため、吹き出し口において無駄な圧力損失が生じてしまうことも抑制できる。また、上側部分１５が平板状に形成されるため、その薄さが適宜調整されることで、下側部分１６よりも質量の小さい上側部分１５を構造を容易に実現することができる。
【００３２】
また、吹出し口構造１によると、各羽根１２は、上側部分１５及び下側部分１６の一部（平板部１７）が一体の平板状に形成されているため、羽根１２の基本構造を簡易な構造で実現できるとともに１枚の平板を用いて容易に作製することができる。また、下側部分１６に錘部材１８を設けるだけで、上側部分１５よりも質量が大きい下側部分１６を容易に形成することができる。
【００３３】
また、吹出し口構造１によると、枠体１１に取り付けられた規制部材１４により羽根１２の回転可能範囲が規制されるため、規制部材１４の配置を適宜設定することで、冷却風の風圧により羽根が傾く角度を所望の角度となるように容易に設定することができる。
【００３４】
以上、本考案の実施形態について説明したが、本考案は上述の実施形態に限られるものではなく、実用新案登録請求の範囲に記載した限りにおいて様々な変更が可能なものである。例えば、次のように変更して実施してもよい。
【００３５】
（１）本実施形態では、羽根１２の下側部分１６に錘部材１８が設けられることで上側部分１５の質量よりも下側部分１６の質量が大きくなる場合を例にとって説明したが、この通りでなくてもよい。図６（ａ）乃至（ｃ）は、羽根の変形例を説明するものであり、各変形例に係る羽根の側面図である。図６（ａ）乃至（ｃ）の各変形例に係る羽根（１２ａ、１２ｂ、１２ｃ）は、いずれも、ファンから吹き出される冷却風の圧力が作用する受圧面積が、回転軸（１９ａ、１９ｂ、１９ｃ）の上側に位置する上側部分（１５ａ、１５ｂ、１５ｃ）の方が下側に位置する下側部分（１６ａ、１６ｂ、１６ｃ）よりも大きくなるように形成されている。そして、各羽根（１２ａ、１２ｂ、１２ｃ）は、いずれも、下側部分（１６ａ、１６ｂ、１６ｃ）の質量が上側部分（１５ａ、１５ｂ、１５ｃ）の質量よりも大きくなるように構成されている。但し、図６（ａ）の変形例の羽根１２ａは、上側部分１５ａにおいて中空部が形成されることで、下側部分１６ａよりも質量が小さくなるように形成されている。また、図６（ｂ）の変形例に羽根１２ｂは、上側部分１５ｂの厚みが下側部分１６ｂよりも薄くなるように形成されることで、下側部分１６ｂの質量よりも上側部分１５ｂの質量が小さくなるように形成されている。また、図６（ｃ）の変形例の羽根１２ｃは、上側部分１５ｃが例えば樹脂を材料として形成され、下側部分１６ｃが例えば樹脂よりも比重が大きい鉄系材料で形成され、これにより、下側部分１６ｃの質量よりも上側部分１５ｃの質量が小さくなるように形成されている。
【００３６】
（２）本実施形態では、規制部材１４が枠体１１に対して固定されている場合を例にとって説明したが、規制部材は、枠体に対して常時一箇所に固定されるものでなくてもよく、取付位置を変更可能となるように枠体に対して着脱自在に取り付けられるものであってもよい。
【産業上の利用可能性】
【００３７】
本考案は、冷却器とファンとを有する冷凍冷蔵庫において冷却器にて冷却された冷却風が吹き出されるファンの前面に設けられる冷凍冷蔵庫用吹出し口構造として広く適用することができるものである。
【図面の簡単な説明】
【００３８】
【図１】本考案の一実施の形態に係る冷凍冷蔵庫用吹出し口構造が適用された冷凍冷蔵庫の平面図を断面で示したものである。
【図２】図１に示す冷凍冷蔵庫用吹出し口構造の正面図である。
【図３】図１に示す冷凍冷蔵庫用吹出し口構造の背面図である。
【図４】図１に示す冷凍冷蔵庫用吹出し口構造の一部側面図である。
【図５】図４に示す冷凍冷蔵庫用吹出し口構造の作動状態を説明する一部断面図である。
【図６】冷凍冷蔵庫用吹出し口構造の羽根の変形例を説明する側面図である。
【符号の説明】
【００３９】
１                冷凍冷蔵庫用吹出し口構造
２                冷却器
３                ファン
１１              枠体
１２              羽根
１３              回転支持機構
１５              上側部分
１６              下側部分
【図１】
0003139266.tif 000003
【図２】
0003139266.tif 000004
【図３】
0003139266.tif 000005
【図４】
0003139266.tif 000006
【図５】
0003139266.tif 000007
【図６】
0003139266.tif 000008